(57)【特許請求の範囲】
【請求項１】
印刷条件を変更可能な印刷設定部と、
前記印刷設定部による印刷条件の変更を受け付ける受付部と、
前記印刷条件を前記受付部に出力する表示制御部と、
前記印刷設定部による前記印刷条件の設定内容の変更履歴を記憶する履歴記憶部と、
前記変更履歴から現在の印刷条件の設定内容と同じ設定内容を検索する検索部と
を備え、
前記表示制御部は、前記印刷設定部により印刷条件が変更されてからの経過時間に応じて、変更された前記印刷条件の設定項目及び設定値の少なくとも一方の表示態様を変更するとともに、前記現在の印刷条件の設定内容が前記変更履歴として記憶された過去の印刷条件の設定内容と一致するとき、前記印刷条件の設定内容が前記過去の印刷条件の設定内容に変更されてからの経過時間に基づいて、前記現在の印刷条件における設定項目及び設定値の少なくとも一方の表示態様を変更可能である
ことを特徴とする印刷制御装置。
【請求項２】
前記表示制御部は、前記印刷条件の設定項目及び設定値の少なくとも一方を文字により表示し、かつ前記経過時間に応じて前記表示態様として前記文字の色、前記文字の太さ、前記文字の背景色、前記文字のフォント種類、及び前記文字のフォントサイズの少なくとも１つを変更する
ことを特徴とする請求項１に記載の印刷制御装置。
【請求項３】
前記印刷条件は、階層化された設定項目からなり、
前記表示制御部は、前記印刷設定部により前記印刷条件の下層の設定項目の設定値が変更されたとき、前記下層の設定項目及び設定値の少なくとも一方と前記印刷条件の最上層の設定項目との表示態様を変更する
ことを特徴とする請求項１又は２に記載の印刷制御装置。
【請求項４】
前記表示制御部は、前記印刷条件における下層の設定項目の設定値が一旦変更された後に再び変更されている場合には、前記印刷条件における最上層の設定項目の表示態様を、前記印刷設定部により前記最上層の設定項目における下層の設定項目の設定値が一番新しく変更されてからの経過時間に基づいて変更する
ことを特徴とする請求項３に記載の印刷制御装置。
【請求項５】
前記印刷設定部による前記印刷条件の設定内容の変更履歴を記憶する履歴記憶部をさらに備え、
前記印刷設定部は、前記履歴記憶部内の変更履歴を用いて前記印刷条件の設定内容を前記変更履歴の印刷条件の設定内容に変更可能である
ことを特徴とする請求項１〜４のいずれか一項に記載の印刷制御装置。
【請求項６】
前記表示制御部は、前記印刷条件における設定項目の設定値の変更日を、変更された前記設定項目の設定値の隣に表示させる
ことを特徴とする請求項１〜５のいずれか一項に記載の印刷制御装置。
【請求項７】
前記表示制御部は、前記印刷条件における設定項目の変更日を、変更された前記設定項目の設定値の隣にポップアップ表示させる
ことを特徴とする請求項１〜５のいずれか一項に記載の印刷制御装置。
【請求項８】
媒体に印刷を行う印刷部と、
前記印刷部を制御する請求項１〜７のうちいずれか一項に記載の印刷制御装置と、
を備える印刷装置。
【発明の詳細な説明】
【技術分野】
【０００１】
本発明は、印刷制御装置及び印刷装置に関する。
【背景技術】
【０００２】
従来から印刷装置では、印刷品質、用紙種類、カラー又はモノクロ等の印刷条件がユーザーにより設定され、その設定された印刷条件に基づいて用紙に印刷を行う。このような印刷装置は、プリンタードライバーとしての印刷制御装置を備え、例えば印刷条件を設定するための印刷設定画面をユーザーの操作端末に表示させるユーザーインターフェースにより、操作端末との間で印刷条件に関する情報のやり取りを行う（例えば、特許文献１参照）。
【０００３】
特許文献１の印刷装置では、印刷条件における設定項目の設定値が変更操作されたとき、変更された設定項目の設定値を反転表示させることにより、設定項目の設定値が変更されたことをユーザーに認識させることができる。
【先行技術文献】
【特許文献】
【０００４】
【特許文献１】特開２００４−３２６６５８号公報
【発明の概要】
【発明が解決しようとする課題】
【０００５】
ところで、ネットワークを通じて複数の操作端末から印刷条件を変更可能な印刷装置が知られている。このような印刷装置では、ユーザー自身による印刷条件の変更のほかに、他のユーザーによる印刷条件の変更が印刷装置に反映された状態となる場合がある。このような場合、特許文献１の印刷装置では、設定値の表示態様に基づいて設定項目の設定値が変更されたことをユーザーは認識できるものの、それはユーザー自身の変更操作によるものなのか、他のユーザーの変更操作によるものなのかを判別することが難しい。
【０００６】
本発明は、このような実情に鑑みてなされたものであり、その目的は、変更された設定項目がユーザー自身により変更されたものであるか否かを容易に判別することができる印刷制御装置及び印刷装置を提供することにある。
【課題を解決するための手段】
【０００７】
以下、上記課題を解決するための手段及びその作用効果について記載する。
上記課題を解決する印刷制御装置は、印刷条件を変更可能な印刷設定部と、前記印刷設定部による印刷条件の変更を受け付ける受付部と、前記印刷条件を前記受付部に出力する表示制御部とを備え、前記表示制御部は、前記印刷設定部により印刷条件が変更されてからの経過時間に応じて、変更された前記印刷条件の設定項目及び設定値の少なくとも一方の表示態様を変更する。
【０００８】
印刷条件を変更するユーザーは、ユーザー自身が印刷条件の変更を行った日時を記憶していることが多い。このため、ユーザー自身が印刷条件の変更を行った日時とは異なる日時に印刷条件が変更されていることをユーザーが把握できれば、ユーザーは、その印刷条件の変更をユーザー自身が行ったものであるか、ユーザー以外が行ったものであるかを判別することができる。
【０００９】
この点、上記構成によれば、経過時間に応じて印刷条件における設定項目及び設定値の少なくとも一方の表示態様が変更されるため、その変更された設定項目及び設定値が何時変更されたかをユーザーが把握することができる。このため、印刷条件における設定項目の設定値が変更されているときにその変更が、ユーザー自身が行ったものであるか、ユーザー以外が行ったものであるかを容易に判別することができる。
【００１０】
また、上記印刷制御装置において、前記表示制御部は、前記印刷条件の設定項目及び設定値の少なくとも一方を文字により表示し、かつ前記経過時間に応じて前記表示態様として前記文字の色、前記文字の太さ、前記文字の背景色、前記文字のフォント種類、及び前記文字のフォントサイズの少なくとも１つを変更することが好ましい。
【００１１】
上記構成によれば、印刷条件の設定項目及び設定値の少なくとも一方の文字の色等又は文字の背景色が変更されることにより、例えばユーザーが印刷条件の設定項目又は設定値を選択することにより印刷条件における設定項目の設定値の変更日時が表示される場合と比較して、ユーザーが印刷条件における設定項目の設定の変更が何時行われたかを直感的に把握することができる。
【００１２】
また、上記印刷制御装置においては、前記印刷条件は、階層化された設定項目からなり、前記表示制御部は、前記印刷設定部により前記印刷条件の下層の設定項目の設定値が変更されたとき、前記下層の設定項目及び設定値の少なくとも一方と前記印刷条件の最上層の設定項目との表示態様を変更することが好ましい。
【００１３】
印刷条件における下層の設定項目の設定値が変更されたとき、印刷条件における上層の設定項目の表示態様が変更されなければ、ユーザーが印刷条件における下層の設定項目の設定値の変更に気付かずに印刷条件の設定を終了してしまうおそれがある。
【００１４】
この点、上記構成によれば、印刷条件における下層の設定項目の設定値が変更されたとき、最上層の設定項目の表示態様が下層の設定項目及び設定値のうちの変更された表示態様とともに変更されるため、印刷条件における下層の設定項目の設定値が変更されたことをユーザーに報知することができる。このため、ユーザーが印刷条件における下層の設定項目の設定値の変更に気付きやすくなる。
【００１５】
また、上記印刷制御装置において、前記表示制御部は、前記印刷条件における下層の設定項目の設定値が一旦変更された後に再び変更されている場合には、前記印刷条件における最上層の設定項目の表示態様を、前記印刷設定部により前記最上層の設定項目における下層の設定項目の設定値が一番新しく変更されてからの経過時間に基づいて変更することが好ましい。
【００１６】
印刷条件における下層の設定項目の設定値が過去に変更された後、日にちをおいて印刷条件における下層の設定項目の設定値が再び変更されたとき、印刷条件における最上層の設定項目が過去に変更されたときの表示態様のままであると、日にちをおいて印刷条件における下層の設定項目の設定値が変更されたことにユーザーが気付かないおそれがある。
【００１７】
この点、上記構成によれば、印刷条件における下層の設定項目の設定値が最新に変更された設定項目の日時に応じて印刷条件における最上層の設定項目の表示態様が変更されるため、ユーザーが印刷条件における下層の設定項目の設定値の変更を気付きやすくなる。
【００１８】
また、上記印刷制御装置においては、前記印刷設定部による前記印刷条件の設定内容の変更履歴を記憶する履歴記憶部をさらに備え、前記印刷設定部は、前記履歴記憶部内の変更履歴を用いて前記印刷条件の設定内容を前記変更履歴の印刷条件の設定内容に変更可能であることが好ましい。
【００１９】
上記構成によれば、履歴記憶部に記憶された印刷条件の設定内容をそのまま今回の印刷条件の設定内容として用いることにより、ユーザーが今回の印刷条件の設定内容を過去の印刷条件の設定内容に変更する場合、印刷条件における設定項目の設定値を変更する手間が少なくなる。
【００２０】
また、上記印刷制御装置においては、前記印刷設定部による前記印刷条件の設定内容の変更履歴を記憶する履歴記憶部と、前記変更履歴から現在の印刷条件の設定内容と同じ設定内容を検索する検索部とをさらに備え、前記表示制御部は、前記現在の印刷条件の設定内容が前記変更履歴として記憶された過去の印刷条件の設定内容と一致するとき、前記過去の印刷条件の設定内容が変更されてからの経過時間に基づいて、前記現在の印刷条件における設定項目及び設定値の少なくとも一方の表示態様を変更可能であることが好ましい。
【００２１】
過去に変更された設定項目の設定値をユーザーが再び変更した場合、変更された設定項目及び設定値の少なくとも一方の表示態様は、過去に変更されてからの時間経過に応じた表示態様から再び変更されてからの経過時間に応じた表示態様に変更される。そして再度、ユーザーが過去に変更された設定値に戻す場合、その設定項目及び設定値の少なくとも一方の表示態様は、過去に変更された設定値に戻してからの経過時間に応じた表示態様となり、過去に変更されてからの時間経過に応じた表示態様とは異なる。すなわち、設定項目及び設定値の少なくとも一方の表示態様における過去の変更履歴が消えてしまうこととなる。
【００２２】
この点、上記構成によれば、過去に変更された設定項目の設定値を変更し、その後、変更した設定項目の設定値を再び過去の設定値に戻す場合、変更した設定項目及び設定値の少なくとも一方の表示態様を、検索部により過去に変更されてからの時間経過に応じた表示態様に変更可能である。このため、設定項目及び設定値の少なくとも一方の表示態様における過去の変更履歴が維持されるため、ユーザーが印刷条件における設定項目の設定値の変更を行ったとしても表示態様を含めて元に戻すことができる。したがって、印刷条件の変更操作の利便性が向上する。
【００２３】
また、上記印刷制御装置において、前記表示制御部は、前記印刷条件における設定項目の設定値の変更日を、変更された前記設定項目の設定値の隣に表示させることが好ましい。
【００２４】
上記構成によれば、印刷条件における設定項目の設定値の変更日がその設定値の隣に表示されるため、ユーザーが設定項目の設定値の変更日をより正確に把握することができる。
【００２５】
また、上記印刷制御装置において、前記表示制御部は、前記印刷条件における設定項目の変更日を、変更された前記設定項目の設定値の隣にポップアップ表示させることが好ましい。
【００２６】
上記構成によれば、通常時においては変更日が表示されず、ユーザーが印刷条件における設定項目の変更日を確認したいときに変更日が表示される。このため、ユーザーは、印刷条件における設定項目又は設定値を確認しやすくなり、かつ設定項目の設定値の変更日を正確に把握することができる。
【００２７】
上記課題を解決する印刷装置は、媒体に印刷を行う印刷部と、前記印刷部を制御する上記印刷制御装置と、を備える。
上記構成によれば、印刷装置において、上記印刷制御装置と同様の効果が得られる。
【図面の簡単な説明】
【００２８】
【図１】印刷装置の一実施形態の制御構成を示すブロック図。
【図２】印刷装置にアクセスした端末に表示される印刷設定の画面の一例を示す模式図。
【図３】表示態様変更処理の処理手順を示すフローチャート。
【図４】経過時間と表示態様の変更内容との関係を示すテーブル。
【図５】印刷条件の設定項目の一部を階層別に示した表であり、（ａ）は過去に設定項目を変更した状態の設定項目の一部の表、（ｂ）は（ａ）よりも後に設定項目を変更した状態の設定項目の一部の表。
【図６】端末に表示される印刷設定の画面において、変更履歴の画面が表示された状態の一例を示す模式図。
【図７】変形例の印刷装置において、印刷装置にアクセスした端末に表示される印刷設定の画面の一部の一例を示す模式図。
【図８】変形例の印刷装置において、印刷装置にアクセスした端末に表示される印刷設定の画面の一部の一例を示す模式図。
【発明を実施するための形態】
【００２９】
以下、印刷装置の一実施形態について、図面を参照して説明する。なお、本実施形態の印刷装置は、例えば、液体の一例であるインクを媒体に噴射することにより印刷を行うインクジェット式のプリンターで構成されている。また、そのプリンターは、印刷方式が媒体の搬送方向と交差する方向に印刷部を移動させて印刷を行う、所謂シリアル方式のプリンターである。
【００３０】
図１に示すように、印刷装置１１は、ネットワーク３０を介して複数のユーザーが操作する電子端末と接続される。本実施形態では、第１端末３１、第２端末３２、第３端末３３、及び第４端末３４の４つの電子端末が印刷装置１１と接続される。これら端末３１〜３４の一例は、図１に示すとおり、デスクトップ型パーソナルコンピューターである。なお、各端末３１〜３４は、デスクトップ型パーソナルコンピューターに代えて、スマートフォン、携帯情報端末（ＰＤＡ（Personal Digital Assistants））、タブレット型パーソナルコンピューター、ラックトップ型パーソナルコンピューター等の携帯端末であってもよい。
【００３１】
各端末３１〜３４は、媒体の一例である用紙に印刷する画像や、印刷を行うための各種条件からなる印刷条件を含む印刷ジョブを印刷装置１１にネットワーク３０を経由して送信する。そして、印刷装置１１は、各端末３１〜３４からの印刷ジョブに基づいて用紙に印刷を行う。
【００３２】
印刷装置１１は、用紙を印刷領域に搬送する搬送部１２と、搬送部１２により搬送された用紙に印刷領域で印刷を行う印刷部１３と、各端末３１〜３４以外から印刷設定が可能な液晶パネルである操作パネル１４と、搬送部１２、印刷部１３、及び操作パネル１４を制御する印刷制御装置の一例である制御装置２０とを備える。操作パネル１４は、印刷条件等の情報が表示される表示部１５を備える。
【００３３】
搬送部１２は、電動モーターを用いて複数の搬送ローラー対（ともに図示略）を駆動させることにより、用紙を搬送ローラー対で挟持しながら印刷領域に搬送する。印刷部１３は、印刷領域において、搬送部１２による用紙の搬送方向と交差する方向（好ましくは直交する方向）に往復移動するキャリッジを備え、そのキャリッジに搭載された噴射部（ともに図示略）に形成された複数のノズルからインクを用紙に向けて噴射する。そして印刷装置１１は、搬送部１２による用紙の印刷領域への搬送と、印刷部１３による用紙へのインクの噴射とが交互に行われることにより、各端末３１〜３４のいずれか１つから受信した印刷ジョブに基づく画像等が用紙に印刷される。
【００３４】
制御装置２０は、ＣＰＵ、ＲＡＭ、ＲＯＭ等を備え、ＣＰＵはＲＯＭ等に記憶された各種の制御プログラムや処理プログラムを実行する。制御装置２０は、メカ制御部２１、画像処理部２２、受付部の一例であるユーザーインターフェース（以下、「ＵＩ」と称する。）２３、設定処理部２４等を含んで構成される。
【００３５】
メカ制御部２１は、印刷ジョブに基づいて、搬送部１２及び印刷部１３を制御する。画像処理部２２は、印刷ジョブに基づいて、印刷装置１１に送信された画像に対してハーフトーン処理等の画像処理を実行する。
【００３６】
ＵＩ２３は、印刷条件の設定及び変更にかかわるソフトウェアを含む。ＵＩ２３は、ネットワーク３０に接続された各端末３１〜３４を介して各端末３１〜３４からの印刷条件の変更要求を受け付け、各端末３１〜３４を操作するユーザーと例えば印刷条件の設定及び変更に関する情報のやり取りを行うための機能を提供する。
【００３７】
設定処理部２４は、ＵＩ２３に印刷条件の設定及び変更に関する情報を出力するとともに、ＵＩ２３において受け付けた印刷条件の変更要求に基づいて、印刷装置１１内の印刷条件の変更を実行し、その変更履歴を記憶する。このような設定処理部２４は、印刷設定部２５、表示制御部２６、履歴記憶部２７、検索部２８、及びタイマー２９を含んで構成される。
【００３８】
印刷設定部２５は、各端末３１〜３４のうちのＵＩ２３にアクセスした端末（以下、「アクセス端末」と称する。）による印刷条件の設定及び変更の操作に基づいて、印刷装置１１の印刷条件に関する設定及び変更を行う。
【００３９】
表示制御部２６は、アクセス端末の画面４０に印刷条件を表示させるためのデータ、及び操作パネル１４の表示部１５に印刷条件を表示させるためのデータをＵＩ２３に出力する。また表示制御部２６は、印刷条件の変更が実行されてからの経過時間に応じて、変更された印刷条件の設定項目及び設定値の少なくとも一方の表示態様を変更する。本実施形態では、印刷条件の設定項目又は設定値の表示態様として文字の色及び文字の太さを変更する。なお、印刷条件の変更の実行とは、ユーザーがアクセス端末や操作パネル１４により印刷条件を変更操作した後、その変更した印刷条件をＵＩ２３に出力することをいう。また、印刷装置１１の初期設定の状態において、印刷条件の設定項目及び設定値の表示態様（文字の色及び文字の太さ）は、「黒色及び標準」である。
【００４０】
履歴記憶部２７は、印刷設定部２５による印刷装置１１の印刷条件の変更が実行された際のその変更された印刷条件を変更履歴として記憶する。履歴記憶部２７は、変更履歴の数が予め設定された閾値以上となるとき、記憶された変更履歴のうちの最も古い変更履歴を消去する。
【００４１】
検索部２８は、印刷条件の変更が実行されたとき、履歴記憶部２７における印刷条件の変更履歴を検索し、その検索結果を表示制御部２６に出力する。
タイマー２９は、印刷条件の変更が実行されたとき、時間の計測を開始することにより、印刷条件の変更が実行されてからの経過時間を計測する。
【００４２】
このような構成の制御装置２０は、各端末３１〜３４のいずれかがＵＩ２３にアクセスして印刷条件の変更操作を行うとき、アクセス端末の画面４０に図２のような印刷条件を設定及び変更するための設定画面４１を表示させる。
【００４３】
図２の設定画面４１では、基本設定のタグ画面（以下、「基本設定画面４２」と称する。）が表示されている。なお、設定画面４１では、基本設定のほかに、印刷方向、印刷部数、印刷レイアウト等を設定するためのページ設定、及びノズルチェック、ヘッドクリーニング等の実行や印刷動作及び搬送動作の設定等を行うためのユーティリティーのタグが表示されている。
【００４４】
基本設定画面４２では、プリント設定部４３、給紙設定部４４、インク残量表示部４５、履歴表示部４６、設定一覧ボタン４７、及び初期設定ボタン４８が表示されている。
プリント設定部４３は、文字表記された「用紙種類」、「印刷品質」、「カラー」、及び「色補正」の設定項目を含む。用紙種類、印刷品質、及びカラーの設定項目のそれぞれの設定値（設定内容）は、ユーザーが各選択肢４３Ａをプルダウンすることにより選択される。選択肢４３Ａにおいては、設定値が文字表記される。
【００４５】
給紙設定部４４は、「給紙方法」及び「用紙サイズ」の設定項目を含む。給紙方法及び用紙サイズの設定項目のそれぞれの設定値（設定内容）は、ユーザーが各選択肢４４Ａをプルダウンすることにより選択される。選択肢４４Ａにおいては、設定値が文字表記される。
【００４６】
インク残量表示部４５は、各色のインクの残量を四角柱の容器内に充填されたインク量に基づいて表示している。
履歴表示部４６は、履歴記憶部２７に記憶された現在及び過去の印刷条件を表示する。過去の印刷条件は、ユーザーが選択肢４６Ａをプルダウンすることにより選択される。選択肢４６Ａにおいては、例えば変更日が文字表記される。
【００４７】
設定一覧ボタン４７は、現在の印刷条件の設定値を一覧表示するためのボタンである。
初期設定ボタン４８は、現在の印刷条件を初期状態の印刷条件に変更するためのボタンである。なお、初期状態の印刷条件は、印刷条件がユーザーにより初めて変更される前の、印刷装置１１に予め設定された印刷条件を示す。例えば、初期状態の印刷条件は、印刷装置１１が工場出荷されるときに設定された印刷条件である。なお、初期状態の印刷条件として、ユーザーが既定値として設定した印刷条件であってもよい。
【００４８】
また基本設定画面４２よりも下側には、各種のボタンとして、表示リセットボタン５１、表示検索ボタン５２、ＯＫボタン５３、及びキャンセルボタン５４が表示されている。
表示リセットボタン５１は、現在の変更された設定項目（設定値）の表示態様をリセットするためのボタンである。表示検索ボタン５２は、変更操作された印刷条件が過去に設定した印刷条件と同じになる場合、過去の印刷条件に基づく表示態様に変更するためのボタンである。ＯＫボタン５３は、現在の印刷条件や表示態様を承認するためのボタンである。ＯＫボタン５３が選択操作されることにより、印刷条件や表示態様がＵＩ２３に出力される。キャンセルボタン５４は、ユーザーが変更操作した印刷条件における設定項目の設定値を取り消すためのボタンである。
【００４９】
また制御装置２０は、印刷条件における設定項目の設定値が変更されてからの経過時間に応じて、設定項目及び設定値の少なくとも一方の表示態様を変更する表示態様変更処理を実行する。表示態様変更処理は、図３に示すフローチャートの手順に従って、ユーザーにより印刷条件の変更が実行されたとき、又は所定時間毎（例えば１日毎）に繰り返し実行される。
【００５０】
以下、表示態様変更処理の手順について作用とともに説明する。なお、図３以降の説明において、符号が付された印刷装置１１の各構成要素は、図１の印刷装置１１の各構成要素を示す。
【００５１】
図３に示すように、制御装置２０は、まず、今回の印刷条件が比較印刷条件と異なるか否かを判定する（ステップＳ１１）。ここで、今回の印刷条件とは、表示態様変更処理が実行されたときに設定されている印刷条件である。また、比較印刷条件とは、一番最近変更された印刷条件、又は変更されたことがない場合には、初期状態の印刷条件である。なお、ユーザーが印刷条件の変更を操作したが、ＯＫボタン５３が押下されず印刷条件として反映されていない状態では、今回の印刷条件は、ＵＩ２３が保持している印刷条件であってもよい。また、比較印刷条件を決める際に印刷を実行したか否かを重視するときは、ＯＫボタン５３の押下の有無にかかわらず、最後に印刷が実行されたときの印刷条件を比較印刷条件としてもよい。
【００５２】
制御装置２０は、今回の印刷条件が比較印刷条件と異なるとき（ステップＳ１１：ＹＥＳ）、印刷条件の変更が実行されてからの経過時間を計測する（ステップＳ１２）。この経過時間の計測は、タイマー２９により計測される。そして制御装置２０は、図４に示される経過時間と表示態様とを示すテーブルを呼び出し（ステップＳ１３）、このテーブルを用いて変更操作後の印刷条件において変更された設定項目又は設定値の表示態様を変更する（ステップＳ１４）。
【００５３】
図４に示すとおり、制御装置２０は、表示態様として設定項目又は設定値の文字の色及び太さを経過時間に応じて変更する。具体的には、制御装置２０は、経過時間が「０〜１週間」の場合、設定項目又は設定値の表示態様を「赤色及び太字」に変更し、経過時間が「１〜２週間」の場合、設定項目又は設定値の表示態様を「青色及び太字」に変更する。また制御装置２０は、経過時間が「２〜３週間」の場合、設定項目又は設定値の表示態様を「紫色及び細字」に変更し、経過時間が「４週間以上」の場合、設定項目又は設定値の表示態様を「茶色及び細字」に変更する。
【００５４】
次に、制御装置２０は、今回の印刷条件において比較印刷条件とは異なる設定項目が最上層の設定項目か否かを判定する（ステップＳ１５）。ここで、制御装置２０は、比較印刷条件とは異なる設定項目が最上層の設定項目ではないとき、すなわち比較印刷条件とは異なる設定項目とは別に最上層の設定項目が存在するとき（ステップＳ１５：ＮＯ）、表示制御部２６により、最上層の設定項目の表示態様を比較印刷条件とは異なる設定項目の表示態様と同様に変更する（ステップＳ１６）。
【００５５】
例えば、図５（ａ）に示すように、１０日前に設定項目としての「印刷品質」が設定値としての「きれい」から「標準」に変更操作された場合、今回の印刷条件においては比較印刷条件と異なる状態から１０日経過したため、「標準」の文字の表示態様が「赤色及び太字」から「青色及び太字」に変更される。これにともない、最上層の設定項目となる「基本設定」の文字の表示態様が「赤色及び太字」から「青色及び太字」に変更される。このため、設定画面４１を視認するユーザーは、「基本設定」の表示態様を確認することにより、「基本設定」が変更されていること、及び「基本設定」が１〜２週間の間に変更されていることを把握することができる。そして、ユーザーが「基本設定」を選択し、基本設定画面４２をアクセス端末に表示させることにより、「印刷品質」が変更されていること、及び「印刷品質」が１〜２週間の間に変更されていることを把握することができる。
【００５６】
そして例えば、図５（ｂ）に示すように、今回の印刷条件において設定項目としての「用紙種類」が設定値としての「光沢紙」から「普通紙」にユーザーにより変更操作された場合、「普通紙」の文字の表示態様が印刷装置１１の初期設定の「黒色及び標準」から「赤色及び太字」に変更される。これにともない、最上層の設定項目となる「基本設定」の文字の表示形態が「青色及び太字」から「赤色及び太字」に変更される。このように、最上層の設定項目が最新の変更時期に応じて表示態様を変更するため、最上層の設定項目に含まれる下層の設定項目の設定値が変更されたことをユーザーが把握しやすくなる。
【００５７】
また、制御装置２０は、今回の印刷条件が比較印刷条件と同じとなるとき（ステップＳ１１：ＮＯ）、及び今回の印刷条件において比較印刷条件とは異なる設定項目が最上層の設定項目であるとき（ステップＳ１５：ＹＥＳ）、処理を一旦終了する。なお、今回の印刷条件が比較印刷条件と同じとなるときは、例えばユーザーが初期設定ボタン４８を選択操作することにより印刷条件を初期状態に戻し、表示リセットボタン５１により印刷条件における設定項目及び設定値の表示態様を「黒色および標準」に戻した状態が維持される場合が挙げられる。またはユーザーが初期状態の印刷条件から印刷条件の変更を行っていない場合が挙げられる。この場合、印刷条件における設定項目及び設定値の表示態様は「黒色および標準」のままである。
【００５８】
次に、その他の印刷条件の変更操作方法、及び設定項目又は設定値の表示態様の変更方法について説明する。
制御装置２０は、ユーザーにより印刷条件の変更が実行されたとき、変更された印刷条件を履歴記憶部２７により記憶し、履歴記憶部２７に記憶された印刷条件を表示制御部２６によりＵＩ２３に出力する。このため、図６に示すような基本設定画面４２の履歴表示部４６の選択肢４６Ａをユーザーがカーソル５５により選択操作すると、印刷条件の変更履歴の一覧を示す履歴画面５６が表示される。変更履歴の一例として、図６では変更日が表示される。そして、ユーザーが履歴画面５６の変更日を選択操作することにより、印刷設定部２５により履歴画面５６において選択された変更日の印刷条件に変更され、表示制御部２６により基本設定画面４２に表示される。
【００５９】
このとき、制御装置２０は、表示態様変更処理において、変更操作前の印刷条件の各設定項目の設定値と、選択された変更日時の印刷条件の各設定項目の設定値とを比較して、変更された設定項目又は設定値の表示態様を「赤字及び太字」に変更する。
【００６０】
また、制御装置２０は、ユーザーにより表示リセットボタン５１が選択操作されたとき、印刷条件における設定項目及び設定値の全ての表示態様がデフォルトの状態である「黒字及び標準」に変更される。そして、制御装置２０は、ユーザーにより表示検索ボタン５２が選択操作されたとき、印刷条件における設定項目及び設定値の表示態様が、表示リセットボタン５１が操作される前の設定項目及び設定値の表示態様に変更される。詳しくは、表示リセットボタン５１が操作されたとき、検索部２８が現在の印刷条件と一致する過去の印刷条件を検索する。この場合、表示リセットボタン５１が操作されたのみで印刷条件が変更されていないため、検索部２８は、表示リセットボタン５１が操作される前の印刷条件及び表示態様を表示制御部２６に出力する。そして表示制御部２６は、表示リセットボタン５１が操作される前の印刷条件及び表示態様を基本設定画面４２に表示させる。
【００６１】
本実施形態の印刷装置１１によれば、以下に示す効果が得られる。
（１）印刷条件を変更するユーザーは、ユーザー自身が印刷条件の変更を行った日時を記憶していることが多い。このため、ユーザー自身が印刷条件の変更を行った日時とは異なる日時に印刷条件が変更されていることをユーザーが把握できれば、ユーザーは、その印刷条件の変更をユーザー自身が行ったものであるか、ユーザー以外が行ったものであるかを判別することができる。
【００６２】
この点、印刷装置１１は、表示制御部２６により経過時間に応じて印刷条件の設定項目又は設定値の表示態様を変更する。これにより、印刷条件が何時変更されたかをユーザーが把握することができるため、印刷条件における設定項目の設定値が変更されているときにその変更が、ユーザー自身が行ったものであるか、ユーザー以外が行ったものであるかをユーザーが容易に判別することができる。このため、その印刷条件における設定項目の設定値がユーザーの所望の設定値か否かを判断することができる。したがって、印刷設定の変更にともなう印刷ミスの発生が抑制される。
【００６３】
（２）印刷装置１１は、表示制御部２６により印刷条件の設定項目又は設定値の表示態様としての色及び太さを変更する。このため、例えばユーザーが印刷条件における設定項目の設定値を選択操作することにより印刷条件における設定項目の設定値の変更日が表示される場合と比較して、ユーザーが印刷条件の変更が何時行われたかを直感的に把握することができる。
【００６４】
（３）印刷条件における下層の設定項目の設定値が変更されたとき、上層の印刷条件における設定項目の表示態様が変更されなければ、ユーザーが印刷条件における下層の設定項目の設定値の変更に気付かずに印刷設定を終了してしまうおそれがある。
【００６５】
この点、印刷装置１１は、印刷条件における下層の設定項目の設定値が変更されるとともに、印刷条件における最上層の設定項目の表示態様が変更される。このため、印刷条件における下層の設定項目の設定値が変更されたことを設定画面４１を通じてユーザーに報知することができる。このため、ユーザーが印刷条件における下層の設定項目の設定値の変更に気付きやすくなる。
【００６６】
（４）印刷条件における下層の設定項目の設定値が過去に変更された後、日にちをおいて印刷条件における下層の設定項目の設定値が再び変更されたとき、印刷条件における最上層の設定項目が過去に変更されたときの表示態様のままであると、日にちをおいて下層の設定項目の設定値を変更したことにユーザーが気付かないおそれがある。
【００６７】
この点、印刷装置１１は、印刷条件における下層の設定項目の設定値において最新に変更された設定項目の設定値の日時に応じて印刷条件における最上層の設定項目の表示態様を変更する。このため、印刷条件における下層の設定項目の設定値が変更されたことをユーザーが気付きやすくなる。
【００６８】
（５）印刷装置１１は、印刷条件の変更履歴を記憶する履歴記憶部２７を備え、履歴記憶部２７における変更履歴を用いて、印刷条件の設定内容を変更履歴の印刷条件の設定内容に変更可能である。このため、履歴記憶部２７に記憶した印刷条件の設定内容をそのまま今回の印刷条件の設定内容として用いることにより、ユーザーが今回の印刷条件の設定内容を過去の印刷条件の内容に変更する場合に、印刷条件における設定項目の設定値を変更する手間が少なくなる。
【００６９】
（６）ユーザーが印刷条件において過去に変更された設定項目の設定値を変更操作した後、その設定値を再び元の設定値に戻す場合、表示態様変更処理によると、変更された設定項目又は設定値、すなわち元に戻された設定項目又は設定値の表示態様は、「赤字及び太字」となり、表示態様の履歴が消えてしまう。この場合、ユーザーが印刷条件を変更する前にどの設定項目が過去に変更されていたか、及びその変更された設定項目の経過時間を把握することができなくなるおそれがある。
【００７０】
そこで、印刷装置１１は、過去に変更された設定項目を変更した後、再び過去の設定値に戻す場合、検索部２８及び表示制御部２６により過去に変更されてからの時間経過に応じた表示態様に変更する。このため、設定項目における過去の変更履歴が維持されるため、ユーザーが印刷条件の設定項目の変更を行ったとしても表示態様を含めて元に戻すことができる。したがって、印刷条件の変更操作の利便性が向上する。
【００７１】
本実施形態は、以下のような別の実施形態に変更してもよい。
・上記実施形態では、表示制御部２６により図４に示すように設定項目又は設定値の表示態様として文字の色と太さとを変更したが、設定項目又は設定値の表示態様の変更方法はこれに限られない。例えば、表示態様として、設定項目及び設定値の少なくとも一方のフォント種類、文字スタイル、文字のフォントサイズ、及び背景色の少なくとも１つを変更してもよい。また、設定項目及び設定値の少なくとも一方を反転表示してもよい。要するに、設定項目及び設定値の少なくとも一方の表示態様が、変更操作されてからの経過時間に応じて変更されることが視認できるような変更方法であればよい。
【００７２】
また、設定項目又は設定値の文字の表示態様の変更に代えて又は加えて、図７に示すように、設定値の隣に変更日を表示してもよい。図７では、印刷品質及び用紙種類の設定値が変更された場合において、印刷品質及び用紙種類の設定値の右隣りに変更日が表示されている。この構成によれば、設定項目の変更日が設定値の隣に表示されるため、ユーザーが設定項目の変更日をより正確に把握することができる。
【００７３】
また、図７のような変更日の表示方法に代えて、図８に示すように、ユーザーが設定項目にカーソル５５を合わせることにより変更日画面５７がポップアップ表示されてもよい。図７及び図８に示す変更日の表示は、表示制御部２６が変更日のデータをＵＩ２３に出力することにより、アクセス端末の基本設定画面４２に変更日画面５７が表示される。この構成によれば、ユーザーが設定項目の変更日をより正確に把握することができる。加えて、ユーザーが設定項目の変更日を確認したいときに変更日が表示されるため、通常の設定画面４１においては変更日が表示されないことにより印刷設定の設定値が確認しやすくなる。なお、図７及び図８において、変更日に代えて変更日時を表示してもよい。
【００７４】
・上記実施形態では、１週間毎に設定項目又は設定値の表示態様が変更されたが、経過時間の長さはこれに限られない。例えば、経過時間の長さとして１日毎又は２〜３日毎のように１週間毎よりも短い時間であってもよい。また、経過時間の長さは、ユーザーが設定可能としてもよい。
【００７５】
・上記実施形態において、最上層の設定項目の表示態様のみに限られず、変更された設定項目よりも上層の設定項目の表示態様も変更してもよい。例えば、図５（ａ）（ｂ）に示すように、第２下層となる「用紙種類」や「印刷品質」の設定項目の設定値が変更されたとき、第１下層となる「プリント印刷」の設定項目の表示態様を変更してもよい。
【００７６】
・上記実施形態では、第２下層における「用紙種類」や「印刷品質」等の設定項目の設定値の表示態様を変更したが、これに限られず、設定値に代えて設定項目の表示態様を変更してもよい。
【００７７】
・上記実施形態において、最上層の設定項目の表示態様は、最上層の設定項目に含まれる下層の設定項目が変更される毎にその経過時間に応じて変更されたが、最上層の設定項目の表示態様はこれに限られない。例えば、表示制御部２６は、最上層の設定項目の表示態様は、予め設定された表示態様（例えば、背景色が黄色に変更される）にのみ変更するようにしてもよい。
【００７８】
・上記実施形態において、最上層の設定項目に含まれる下層の設定項目が変更されたとき、最上層の設定項目の表示態様を変更しなくてもよい。
・上記実施形態において、履歴記憶部２７及び検索部２８の少なくとも一方を設定処理部２４から省略してもよい。
【００７９】
・上記各実施形態において、印刷装置１１は、媒体に印刷することができるものであれば、ドットインパクトプリンターやレーザープリンターであってもよい。また、印刷装置１１は、印刷機能だけを備えた構成に限定されず、複合機であってもよい。さらに、印刷装置１１は、シリアルプリンターに限定されず、ラインプリンター又はページプリンターであってもよい。
【００８０】
・媒体は、用紙に限定されず、連続紙、樹脂製のフィルム、金属箔、金属フィルム、樹脂と金属の複合体フィルム（ラミネートフィルム）、織物、不織布、セラミックシート等であってもよい。
【符号の説明】
【００８１】
１１…印刷装置、１３…印刷部、２０…印刷制御装置の一例である制御装置、２３…受付部の一例であるＵＩ、２５…印刷設定部、２６…表示制御部、２７…履歴記憶部、２８…検索部。
【図１】
0006550835.tif 000002
【図２】
0006550835.tif 000003
【図３】
0006550835.tif 000004
【図４】
0006550835.tif 000005
【図５】
0006550835.tif 000006
【図６】
0006550835.tif 000007
【図７】
0006550835.tif 000008
【図８】
0006550835.tif 000009